(57)【特許請求の範囲】
【請求項１】
試料槽部の底に設けられた指示電極と、前記試料槽部上部に設けられ、内部液を保持した液絡部と細溝で連通する参照電極と、前記指示電極、前記参照電極と接続される酸化還元電位差計とを備え、前記試料槽部に測定対象試料を含む綿棒を差し込むことにより、前記指示電極と参照電極の液絡部とが導通し、酸化還元電位が測定される酸化還元電位（ORP）測定装置であって、
前記指示電極は、頭部に丸みを持たせたリベット形状であり、前記指示電極の下部にナットと係合するねじ切り加工部を設けたことを特徴とする酸化還元電位（ORP）測定装置。
【請求項２】
試料槽部の底に設けられた指示電極と、前記試料槽部上部に設けられ、内部液を保持した液絡部と細溝で連通する参照電極と、前記指示電極、前記参照電極と接続される酸化還元電位差計とを備え、前記試料槽部に測定対象試料を含む綿棒を差し込むことにより、前記指示電極と参照電極の液絡部とが導通し、酸化還元電位が測定される酸化還元電位（ORP）測定装置であって、
前記指示電極は、頭部に丸みを持たせたリベット形状であり、前記頭部を上にして前記頭部が露出するように封止剤で固定したことを特徴とする酸化還元電位（ORP）測定装置。
【請求項３】
前記測定対象試料は、唾液、飲料水、植物の葉っぱ溶液、植物の幹の溶液、根の溶液、
花の溶液、実の溶液、果実の溶液、海水、飲料水、雨水、河川水溶液の何れかであることを
特徴とする請求項１又は２いずれかに記載の酸化還元電位（ORP）測定装置。
【請求項４】
装置本体内に、複数の収納式の測定BOXを備え、前記測定BOX内に請求項１〜３のいずれかに記載の前記酸化還元電位（ORP）測定装置をそれぞれ備えたことを特徴とする酸化還元電位（ORP）測定装置システム。
【請求項５】
前記測定BOX毎に測定結果をプリントアウトできる出力手段を備えることを特徴とする請求項４に記載の酸化還元電位（ORP）測定装置システム。
【請求項６】
前記測定BOXは対応する液晶部を備え、前記液晶部は測定経過及び測定結果を表示することを特徴とする請求項４、又は５に記載の酸化還元電位（ORP）測定装置システム。
【請求項７】
音声表現機能をさらに有することを特徴とする請求項６に記載の酸化還元電位（ORP）測定装置システム。
【請求項８】
前記装置本体は、測定装置が測定動作において外部から電磁波ノイズを受けないための電磁波シールドの極薄銅板、又は、銅メッシュ加工素材が装着されたことを特徴とする請求項４〜７いずれかに記載の酸化還元電位（ORP）測定装置システム。
【請求項９】
前記測定対象試料に唾液を用いた際の、請求項１〜３のいずれかに記載の酸化還元電位（ORP）測定装置、又は、請求項４〜８のいずれかに記載の酸化還元電位（ORP）測定装置システムを用いた利用方法であって、
体内がストレス負荷状態か、又はストレス負荷もなく精神的にも肉体的にも体調良好状態かを確認するために、耳下腺左右、顎下腺左右、舌下腺、舌の上に集まる口腔内の総体唾液の6か所の各局所唾液ORP測定を同時、又はそれぞれの局所唾液を単独で測定できるようにし、酸化還元電位値（ｍV）で比較検証することを特徴とする利用方法。
【発明の詳細な説明】
【技術分野】
【０００１】
本発明は試料槽部に指示電極を装填した酸化還元電位（ＯＲＰ）測定装置および利用方法にかんする。
【背景技術】
【０００２】
酸化還元電位測定装置は指示電極と参照電極を備え、指示電極と参照電極を試料溶液中に挿入し、溶液中の電解質の濃度や酸化体・還元体のイオン濃度比など酸化還元電位を測定する。従来、酸化還元電位の測定は主に排水やプラント水の水質検査など多量の溶液を対象とする一方、試料溶液が少量であったり、緩衝能力が低い場合、測定の再現精度が不安定で正確性にかけるという欠点があった。液絡部を通して試料溶液中に流出する参照電極（銀−塩化銀）側の内部液が試料溶液と接触することによって酸化還元電位が測定されるのであるが、指示電極とする白金電極との距離が近いことにより検体液以外の参照電極（銀−塩化銀）側の内部液が試料槽部に装填される指示電極に接触してしまうことで緩衝能力の低い試料溶液（唾液などの生体液等）のような場合、参照電極の内部液の流出がわずかであっても検体溶液に対する影響が大きく、指示電極に直接接触した場合は、検体溶液の測定ではなく、内部溶液に影響された測定となり正確な酸化還元電位測定ができないからである。
【先行技術文献】
【特許文献】
【０００３】
文献１は、測定電極及び比較電極を被検液に浸漬して被検液の酸化還元電位を測定する酸化還元電位測定装置の電極を検査する方法、及びその検査に使用する標準液に関するものを提供しているものである。
【０００４】
文献２は、過硫酸塩を活性炭により還元処理する過硫酸塩処理装置、過硫酸塩処理方法の技術に関するものである。
【０００５】
文献３及び文献４とも本出願人の発明による人間の生体液である唾液の酸化還元電位を測定する装置について提供している。
【０００６】
文献１：特許第5157880号
文献２：特許第5980652号
文献３：特許第4154884号
文献４：特許第4650771号
【発明の概要】
【発明が解決しようとする課題】
【０００７】
本発明は、文献３及び文献４で示す通り、酸化還元電位測定装置は指示電極と参照電極を備え、指示電極と参照電極を試料溶液中に挿入し、溶液中の電解質の濃度や酸化体・還元体のイオン濃度比など酸化還元電位を測定する人間の唾液の酸化還元電位測定装置であるが、検体液を含浸させた綿棒を接触させる試料槽部に新しい検体液の測定ごとに綿棒に添えて丸棒形状の指示電極を装填することで酸化還元電位を測定するのであるが、測定装置本体の外付け装着の白金電極においては、測定装置使用者の取り扱いが粗雑な場合は、丸棒形状の白金電極を折り曲げたり微細な傷をつける問題が生じることになり、それにより、測定精度の大きな値差が生じるのである。
【課題を解決するための手段】
【０００８】
この課題を解決するため本発明にかかる酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成とした試料槽の底部に指示電極である白金電極をリベット形状にして内蔵させる。白金電極をリベット形状の頭部の表面を鏡面研磨し、試料槽の底部に指示電極を装着することでプラスマイナスの電子の局部電池発生を回避できることに着眼したのである。
【０００９】
よって、前の測定溶液を精製水、又は純水を含浸させた綿棒で洗浄後、乾燥した新しい綿棒で簡便にふき取ることができる試料槽とすることで、試料槽部に内蔵されたリベット形状の指示電極である白金電極の頭を、常に綿棒の素材である柔らかいコットンで常に鏡面研磨の拭き取り行為をすることになり、外部に装着する指示電極では洗浄拭き残りによる取り扱いで傷つける問題も解消され一石二鳥の効果を得られるである。
【００１０】
つぎに、人間の唾液及びその他の検体液を含浸させた綿棒を試料槽部に差し込んで、試料槽部を押し込み格納することで、電源が自動的にＯＮされ測定が開始されるようにしている。それにより、空調による風の影響、又は室外での測定においても風の影響を受けることなくｍＶ単位の測定を安定させ、所定時間後に測定完了で測定結果が液晶部に表示されるようにする。
【００１１】
さらには、測定結果をプリントできるようにした酸化還元電位測定装置である。そして、プリント機能は、個人情報の漏洩に配慮し、次の検体液を測定するとデータは次の測定結果の数値に上書き保存されるように対応可能としている。USBやネットケーブルで周辺機器に安易にデータ情報が流失しないように暗証番号入力、又はこれらの機能を設けないことにも対応できるようにしているのである。
【００１２】
さらに、本発明の測定装置は、検体液の綿棒を装填できる複数の試料槽部を設けることで、市民の健康セミナーなどのイベント会場にいて、多数の参加者の体調度を効率よく測定することができる人間の唾液の酸化還元測定装置としている。
【００１３】
上記目的を達成するために、本発明は（請求項１の構成要件）とで、本発明の溶液中の電解質の濃度や酸化体・還元体のイオン濃度比など酸化還元電位を測定する構成とした試料槽の底部に指示電極である白金電極をリベット形状にして内蔵させる。なおかつ、白金電極をリベット形状の頭部の表面を鏡面研磨したもので構成し、従来の人間の唾液測定装置の外付け指示電極による使用者の取扱いによる電極を損傷させる問題を解消したのである。
【発明の効果】
【００１４】
以上の説明から明らかなように、本発明にあっては次に列挙する効果が得られる。
（１）（請求項１の構成要件）とで構成されているので、人間の唾液の酸化還元電位（ＯＲＰ）測定手段を用いて、本発明の有効性を証明するために、本発明者が取得している特許をもとに開発した厚生労働省から医療機器として認証されている人間の唾液ＯＲＰ測定装置と本発明の人間の唾液ORP測定装置を用いて、同一溶液である検体液で人間の唾液のORP測定精度の比較を試みたのである。
【００１５】
（２）前記（１）によって、試料槽部の底に指示電極（白金）を装填した人間の唾液の酸化還元電位（ＯＲＰ）測定手段を用いて、すでに、厚生労働省から医療機器として認証されている人間の唾液ＯＲＰ測定装置を用いて３，０００症例を超える唾液臨床でｍＶ数値限定による体調度を立証した横浜・小児内科医の岡澤美江子医師の協力のもと、患者及び付き添いの健常者を含む２０人の同一溶液である唾液ＯＲＰの測定を実施した。表１は、本発明出願人が特許取得して開発された医療機器として認可されている人間の唾液ORP測定装置を用いた人間の唾液ORP測定結果であり、表２は、本発明の試料槽部の底に指示電極（白金）を装填した酸化還元電位測定装置を用いて人間の唾液ORP測定結果である。同一溶液とは、被験者のそれぞれの唾液を１個のビニール小袋に採取し、測定専用の綿棒２本の綿部分に唾液を含浸させておいて、比較測定する手段としたのである。それぞれの被験者の唾液ORPは表１と表２で示された通りである。よって、表１と表２で示されたヒト唾液ORPが、千分の５ｍV以内で、ほぼ偶然に近い数値に一致したとは考えられず、本発明である、被験者の唾液を含浸させた綿棒を差し込む試料槽部の底に指示電極（白金）を装填した指示電極の構造においても、白金電極を内蔵させた構成によるプラスマイナスの電子授受交換が正しく行われ、医療機器である人間の唾液ORP測定装置の必須条件である絶対値測定(同一溶液なら、ほぼ同じ値で計測される)とする精度の高い測定装置としての所期の目的を達成したのである。
【００１６】
（３）請求項１至る請求項９も前記（１）〜（２）と同様に、綿棒に含浸の唾液を試料槽部に差し込むことで起きる毛細管現象を利用し、基準電極への導線となるＫＣＬ溶液が指示電極に直接触れないように常に一定した距離を持たせ、試料槽部の底部に装着の指示電極と微量のＫＣＬ溶液の液絡部に唾液含浸の綿棒を介してのみプラスマイナスの電子導通で接触させるようにしたのである。よって、前記（２）に示したように所期の目的を達成したのである。
【００１７】
【表１】
0006251878.tif 000002
【００１８】
【表２】
0006251878.tif 000003
【図面の簡単な説明】
【００１９】
【図１】本発明の図１は、本発明の酸化還元電位測定装置８には試料槽の底部に装填の指示電極（白金）を拡大した断面図である。
【図２】本発明の図２は本発明の酸化還元電位測定装置の指示電極（作用電極）と基準電極（参照電極）の溶液を介してマイナス電子とプラス電子の授受の全体構成の断面図である。
【図３】本発明の図３は綿棒などの多孔性物質に白金棒を差込む縦筒穴の底部に指示電極（白金）を内蔵させた図である。
【図４】本発明の図４は人間の唾液ORP測定装置斜視図を示す一例図である。
【図５】本発明の図５は液晶に日本語表示を示す一例図。
【図６】本発明の図６は液晶に英語表示を示す一例図。
【発明を実施するための形態】
【００２０】
本発明を実施するための最良の形態について説明する。本発明に用いる本発明の試料槽部の底に指示電極（白金）を装填した酸化還元電位測定装置を用いて人間の唾液ORP測定結果の手段である酸化還元電位指標は、人間の生体液である唾液は、電子レベルでの酸化体と還元体の電子の授受であり、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場合は還元反応なのである。人間の体は、常に負極（マイナス）電子が奪われる自然摂理で構成され、酸化反応をいかに抑えるかが健康で生きるための大切な要件である。
【実施例】
【００２１】
本発明を実施するための最良の形態について説明する。図１において本発明の酸化還元電位測定装置８には試料槽の底部に装填の指示電極（白金）断面図１を有し、２は指示電極を真上から見た正円図であり、３は指示電極先端部の頭部の丸み形状として、４は指示電極(白金)棒状部であり、５は試料槽におけるゆるみを防ぐためにねじ切り加工部を設けている。６は指示電極リード線に接着部、７は凹のマイナスの加工でねじ締め可能とする。
【００２２】
２について説明する。８は本発明の測定装置の試料槽の底部に装填の指示電極と基準電極の内部液格納の溶液を介しての電子授受の構成の断面図であり、９は酸化還元電位差計を有し、１０は指示電極と参照電極導通のリード線であり、１１は参照電極となる銀電極とし、１２は試料槽部土台、１３は試料槽部上面、１４試料槽部上部浅瀬部分であり、１５は内部液を格納する液槽の上部ふたを設け、１６は内部液を格納する液槽の上面であり、１７には塩化カリウムが格納されている。１８は基準電極の銀線ＫＣＬ溶液導通の細溝とし、１９は銀線が内蔵され、２０は銀線を包み込む銀粉であり、２１は内部液を格納する液槽のＫＣＬ溶液が漏れないようにパッキンを挟み込むようにしている。２２はガラスやカーボン等の不活性素材からなる筒部を設け、２３はコットンを詰め込み銀粉が流出しないようにしている。２４は綿棒などの多孔性物質を差込む縦筒穴の底部であり接着ボンドで４の白金電極を固定している。２５は指示電極棒状の下部をナットで締めるようにしてゆるみが出ないようにしている。２６は試料槽部に差し込む綿棒などの多孔性物質で構成される持ち手部が木軸及び紙軸であり、
２７は綿棒の綿部分に含浸の被検液とＫＣＬ溶液が接触する液絡部であり、２８は指示電極と綿棒に含浸の唾液とＫＣＬ溶液が接する液絡部への導通イメージであり、２９は指示電極の頭部を丸み形状をもたせ唾液含浸綿棒との接触部で構成している。
【００２３】
図３について説明する。図２において８の本発明の酸化還元電位測定装置の指示電極（作
用電極）と基準電極（参照電極）の溶液を介してのマイナス電子とプラス電子の授受の全体構成の断面図であり、４は指示電極棒状部であり、２９は指示電極と唾液含浸綿棒との接触部で頭部分に丸みを持たせた形状とすることで、局部電池の発生が起きないように、すなわちプラスマイナスの電子が帯電しないようにしている。
【００２４】
図４について説明する。３０は本発明の人間の唾液ORP測定装置斜視図であり、本体箱の内側には銅板、又は銅板素材のメッシュ加工で電磁波防御の素材を装着（図せず）、３１は本発明の人間の唾液ORP測定装置本体測定装置天板部であり、３２はプリンター装備部とし、３３は測定結果を紙ペーパー打ち出すのである。３４はプリンターBOX  押しボタンであり、３５は耳下腺左右、顎下腺左右、舌下腺、舌の上の総体唾液の６か所の測定箇所選択押しボタンとし、３６は測定BOX  １の液晶部で測定経過及び測定結果表示であり、３７は測定BOX  ２の液晶部で測定経過及び測定結果表示であり、３８は測定BOX  ３の液晶部で測定経過及び測定結果表示としている。３９は本電源であり、４０は日本語、又は英語表記（言語は限定せず）の選択ボタンとし、４１は測定BOX  １至る測定BOX  ３の測定BOXの扉の開閉部分である。４２は各測定BOXの取り出しボタンであり、４３は各測定BOXの測定開始の押し込み箇所である。図５の４４はペーパープリント打ち出しの日本語表記の一例であり、図６の４５はペーパープリント打ち出しの英語表記（表記する言語は英語に限定せず）の一例である。
【産業上の利用可能性】
【００２５】
従来の人間の酸化還元電位測定装置は、口腔内に各局所唾液である耳下腺、顎下腺、舌下腺、舌の上に集約される総体唾液の6か所の唾液の酸化還元電位の測定が同時にできないことにより、体調不良が体調良好に改善されているかの比較検証が困難であった、この問題を１台の測定装置で比較検証できる装置としたことで、2015年12月からストレスチェックの実施が義務化、精神障害を原因とする労災認定件数の増加等をうけ、最近の社会情勢の変化や労働災害の動向に即した形で対応し、労働者の安全と健康の確保対策を一層充実するため、「労働安全衛生法の一部を改正する法律」（平成26年法律第82号）が平成26年6月25日に公布されました。 企業の社員のストレスチェックの可視化を可能にした装置である。
【００２６】
本発明は、試料槽部の底に指示電極（白金）を装填した人間の唾液の酸化還元電位（ＯＲ
Ｐ）測定手段によって、試料槽部の精製水での洗浄および乾いた綿棒、又はテッシュペーパーでの拭き取り時に、試料槽部の底に指示電極（白金）装填部分も同時に行える構造にしたことで、唾液腺である耳下腺左右、顎下腺左右、舌下腺、舌の上に集まる口腔内の総体唾液の６か所の各局所唾液ORP測定、又は局所唾液を単独で効率よく簡便に測定できるようにしたのである。よって、局所の唾液の酸化還元電位値（ｍＶ）を比較検証することができるようにしているのであり、体内がストレス負荷状態か、又はストレス負荷もなく精神的にも肉体的にも体調良好状態かの見極め検証を可能にしたのである。
【００２７】
今日において、精神的なストレスチェック、疾患の治癒経過、完全治癒を専門従事者でなくても簡単に数値化判定するのが困難な状況である。唾液の酸化還元電位値（ｍＶ）を総体的に演算測定する手段とその測定の活用方法であり、舌の上に集まる総体唾液および耳下腺左右、顎下腺左右、舌下腺から分泌される局所唾液成分からなる６箇所のヒト唾液成分の酸化還元電位値（ｍＶ）測定を可能にし、重篤症状の９割を占めるとされる活性酸素発生のストレス負荷測定が可能としたのである。活性酸素の発生原因は、睡眠不足、過剰なストレス、タバコ、お酒、暴飲暴食、紫外線、排気ガス、過激な運動、化学物質、電磁波、大気汚染、農薬汚染などであり、これらを避けるには、食生活習慣の改善、精神面のメンタルケァー等々を実践した後の成果が簡便に確認ができることで健康寿命に繋げる目標が明確になる。本発明は（１）ストレスによる体調不良は世界共通の大問題であり、痛み、感染リスクを伴わず少量唾液でストレスチェックを確認できるORP測定装置は世界で唯一の製品となる。（２）ストレスチェックでの早期対応は体調を整え人間関係が良好になり製品製造の品質を高め国益に繋がると考える。（３）TPPにおける輸出入製品の新しい受け入れ基準に繋がることが期待できる。（４）企業の社員のストレスチェックの活用。（５）幼稚園から大学・集団生活でのストレスチェック。（６）国益を担う国防、集団生活スタッフのストレスチェックなど多岐に活用でき、早期の体調改善は医療費の軽減につながり、産業上での利用は大いに期待できるのである。
【符号の説明】
【００２８】
１  本発明の試料槽に装填の指示電極（白金）断面図
２  指示電極を真上から見た正円図
３  指示電極、先端の頭部の丸み形状
４  指示電極棒状
５  指示電極棒状の下部のねじ切り加工部
６  指示電極リード線に接着部
７  凹のマイナスの加工でねじ締め可能とする
８  試料槽の指示電極と基準電極の内部液格納の溶液を介しての電子授受の構成の断面図
９  酸化還元電位差計
１０  指示電極と参照電極導通のリード線
１１  参照電極となる銀電極
１２  試料槽部土台
１３  試料槽部上面
１４  試料槽部上部浅瀬部分
１５  内部液を格納する液槽の上部ふた
１６  内部液を格納する液槽の上面
１７  塩化カリウム
１８  基準電極の銀線ＫＣＬ溶液導通の細溝
１９  銀線
２０  銀線を包み込む銀粉
２１  内部液を格納する液槽のＫＣＬ溶液が漏れないようにパッキンを挟み込む
２２  ガラスやカーボン等の不活性素材からなる筒部  
２３  コットン
２４  綿棒などの多孔性物質を差込む縦筒穴の底部は接着ボンドで白金電極を固定
２５  指示電極棒状の下部をナットで試料槽の底部に固定の白金電極を締める
２６  試料槽部に差し込む綿棒などの多孔性物質で構成される持ち手部が木軸及び紙軸
２７  綿棒の綿部分に含浸の被検液とＫＣＬ溶液が接触する液絡部  
２８  指示電極と綿棒に含浸された唾液溶液とＫＣＬ溶液が接触する液絡部への導通部
２９  指示電極先端部を丸み形状として唾液含浸綿棒との接触部
３０  本発明の人間の唾液ORP測定装置斜視図
３１  本発明の人間の唾液ORP測定装置本体天板部
３２  プリンター装備部
３３  紙ペーパー打ち出し
３４  プリンターBOX  押しボタン
３５  耳下腺左右、顎下腺左右、舌下腺、舌の上の総体唾液の６か所の測定箇所選択ボタン
３６  測定BOX  １の液晶部で測定経過及び測定結果表示
３７  測定BOX  ２の液晶部で測定経過及び測定結果表示
３８  測定BOX  ３の液晶部で測定経過及び測定結果表示
３９  本電源
４０  日本語、又は英語表記（言語は限定せず）の選択ボタン
４１  測定BOX  １至る測定BOX  ３の測定BOXの扉の開閉
４２  各測定BOXの取り出しボタン
４３  各測定BOXの測定開始の押し込み箇所
４４  ペーパープリント打ち出しの日本語表記の一例
４５  ペーパープリント打ち出しの英語表記(言語表記は英語に限定せず)の一例
【要約】      （修正有）【課題】口腔内に各局所唾液である耳下腺、顎下腺、舌下腺、舌の上に集約される総体唾液の６か所の唾液の酸化還元電位の測定を同時または単独に測定できる酸化還元電位測定装置を提供する。【解決手段】試料槽部の底に指示電極（白金）２４を装填したヒト唾液の酸化還元電位（ＯＲＰ）測定手段によって、試料槽部の精製水での洗浄および乾いた綿棒２６での拭き取り時に、試料槽部の底に指示電極（白金）装填部分も同時に行える一石二鳥の構造にしたことで、唾液腺である耳下腺左右、顎下腺左右、舌下腺、舌の上に集まる口腔内の総体唾液の６か所の各局所唾液ＯＲＰ測定、又は局所唾液を単独で効率よく簡便に測定できる。【選択図】図２【図１】
0006251878.tif 000004
【図２】
0006251878.tif 000005
【図３】
0006251878.tif 000006
【図４】
0006251878.tif 000007
【図５】
0006251878.tif 000008
【図６】
0006251878.tif 000009